(57)【要約】【課題】使用者が電子機器をどのような向きでホールドしても、操作部材を無理なく操作することができ、さらに操作した方向を安価かつ省スペースで検知することができる電子機器を提供すること。【解決手段】ベース部材と、前記ベース部材に対して第１の方向および前記第１の方向と直交する第２の方向にスライド操作することのできる操作部材と、前記操作部材を前記操作部材の操作可能範囲における中立位置に付勢する導電性を有する付勢部材と、前記付勢部材の付勢方向を規定する軸部材とを有し、前記操作部材を第１の方向に移動させると、第１の軸受部材と第２の軸受部材は前記付勢部材と前記軸部材の導電部を介して電気的に接続されており、前記操作部材を前記第１の方向とは逆向きの方向に移動させると、前記第１の軸受部材と前記第２の軸受部材は電気的に非導通となることを特徴とする。【選択図】図４
2016142768.tif 000002
【特許請求の範囲】
【請求項１】
ベース部材（２０）と、
前記ベース部材（２０）に対して第１の方向および前記第１の方向と直交する第２の方向にスライド操作することのできる操作部材（１４）と、
前記操作部材（１４）と前記ベース部材（２０）との間に配置され、前記操作部材（１４）を前記操作部材（１４）の操作可能範囲における中立位置に付勢する導電性を有する付勢部材（５２）と、
前記付勢部材（５２）の付勢方向を規定する軸部材（５１）と、
前記軸部材（５１）を保持し、導電性を有する第１の軸受部材（５３ａ）と第２の軸受部材（５３ｂ）と、を備え、
前記軸部材（５１）は軸方向において導電部（５１ａ）と非導電部（５１ｂ）とを有しており、前記導電部（５１ａ）は第１の軸受部材（５３ａ）に保持され、前記非導電部（５１ｂ）は第２の軸受部材（５３ｂ）に保持されており、
前記付勢部材（５２）は前記導電部（５１ａ）と電気的に接続しており、
前記操作部材（１４）が操作可能範囲における中立位置に位置する時、
前記付勢部材（５２）の一端（５２ａ）が前記第１の軸受部材（５３ａ）に接し、前記付勢部材（５２）の他端（５２ｂ）が前記第２の軸受部材（５３ｂ）に接し、前記第１の軸受部材（５３ａ）と前記第２の軸受部材（５３ｂ）とは前記付勢部材（５２）を介して電気的に接続されており、
前記操作部材（１４）を第１の方向に移動させると、前記付勢部材（５２）の一端（５２ａ）が前記第１の軸受部材（５３ａ）から離れ、前記付勢部材（５２）の他端（５２ｂ）が前記第２の軸受部材（５３ｂ）に接し、前記第１の軸受部材（５３ａ）と前記第２の軸受部材（５３ｂ）は前記付勢部材（５２）と前記軸部材（５１）の導電部（５１ａ）を介して電気的に接続されており、
前記操作部材（１４）を前記第１の方向とは逆向きの方向に移動させると、前記付勢部材（５２）の一端（５２ａ）が前記第１の軸受部材（５３ａ）に接し、前記付勢部材（５２）の他端（５２ｂ）が前記第２の軸受部材（５３ｂ）から離れ、前記第１の軸受部材（５３ａ）と前記第２の軸受部材（５３ｂ）は電気的に非導通となることを特徴とするスイッチ機構（５０）を有する電子機器（１）。
【請求項２】
前記ベース部材（２０）に対して前記第１の方向にのみ移動可能に取り付けられる移動部材（１５）を有し、前記操作部材（１４）は、前記移動部材（１５）に対して前記第２の方向にのみ移動可能に取り付けられていることを特徴とする請求項１に記載の電子機器（１）。
【請求項３】
前記移動部材（１５）と前記ベース部材（２０）との間に配置され、前記移動部材（１５）を前記移動部材（１５）の移動可能範囲における中立位置に付勢する第１のスイッチ機構（５０ａ、５０ｂ）と、前記操作部材（１４）と前記移動部材（１５）との間に配置され、前記操作部材（１４）を前記操作部材（１４）の操作可能範囲における中立位置に付勢する第２のスイッチ機構（５０ｃ、５０ｄ）と、を備えたことを特徴とする請求項１又は請求項２に記載の電子機器（１）。
【請求項４】
前記第１のスイッチ機構（５０ａ、５０ｂ）は、前記ベース部材（２０）における前記移動部材（１５）の投影面内に配置されており、前記第２のスイッチ機構（５０ｃ、５０ｄ）は、前記操作部材（１４）における前記移動部材（１５）の投影面内に配置されていることを特徴とする請求項１乃至請求項３の何れか一項に記載の電子機器（１）。
【請求項５】
前記軸部材（５１）は導電部（５１ａ）が非導電部（５１ｂ）よりも径が大きく形成されていることを特徴とする請求項１乃至請求項４の何れか一項に記載の電子機器（１）。
【請求項６】
前記操作部材（１４）はリング形状を有し、リング形状となっている前記操作部材（１４）の中心位置に対して、点対称となる位置に第１のスイッチ機構（５０ａ）と対となる第３のスイッチ機構（５０ｂ）が配置されていることを特徴とする請求項１乃至請求項５の何れか一項に記載の電子機器（１）。
【請求項７】
前記移動部材（１５）には第１のスイッチ機構（５０ａ、５０ｂ）と直行する方向に、第２のスイッチ機構（５０ｃ、５０ｄ）が配置されていることを特徴とする請求項１乃至請求項６の何れか一項に記載の電子機器（１）。
【請求項８】
前記第２のスイッチ機構（５０ｃ）はリング形状となっている前記操作部材（１４）の中心位置に対して、点対称となる位置に、第２のスイッチ機構（５０ｃ）と対となる第４のスイッチ機構（５０ｄ）が配置されていることを特徴とする請求項１乃至請求項７の何れか一項に記載の電子機器（１）。
【請求項９】
ベース部材（２０）と、
スイッチ（２１ｃ）と、
前記ベース部材（２０）に対して第１の方向および前記第１の方向と直交する第２の方向にスライド操作することのできる操作部材（１４）と、
すり鉢形状のカム部（２６ａ、２６ｂ）が形成されており、前記操作部材（１４）が前記第１の方向または前記第２の方向にスライド操作される際に、前記操作部材（１４）と一体的にスライド移動することのできるカム部材（２６）と、
前記スイッチ（２１ｃ）を押圧することができる軸部（３１ｄ）と、前記カム部（２６ａ、２６ｂ）と摺動する摺動部（３１ａ）とが形成されており、
前記ベース部材（２０）に対して前記第１の方向および前記第２の方向とそれぞれ直交する第３の方向に移動することができる押し子部材（３１）と、を備え、
前記操作部材（１４）を前記第１の方向または前記第２の方向にスライド操作させると、前記押し子部材（３１）の前記摺動部（３１ａ）が前記カム部（２６ａ、２６ｂ）を摺動することで前記押し子部材（３１）が前記第３の方向に移動し、前記押し子部材（３１）の前記軸部（３１ｄ）が前記スイッチ（２１ｃ）を押し込むことを特徴とする請求項１乃至請求項８の何れか一項に記載の電子機器（１）。
【請求項１０】
前記押し子部材（３１）の前記軸部（３１ｄ）が前記スイッチ（２１ｃ）から離れる方向に、前記押し子部材（３１）を付勢する第２の付勢部材（３２）を有することを特徴とする請求項１乃至請求項９の何れか一項に記載の電子機器（１）。
【請求項１１】
前記カム部材（２６）の前記カム部（２６ａ、２６ｂ）は、前記操作部材（１４）が前記第１の方向にスライド操作された場合と、前記操作部材（１４）が前記第２の方向にスライド操作された場合とで、前記押し子部材（３１）の前記軸部（３１ｄ）が前記スイッチ（２１ｃ）を押し込むために必要な前記操作部材（１４）のスライド操作量が異なるように、形成されていることを特徴とする請求項１乃至請求項１０の何れか一項に記載の電子機器（１）。
【請求項１２】
前記カム部材（２６）の前記カム部（２６ａ、２６ｂ）は、前記操作部材（１４）が前記第１の方向にスライド操作された場合の方が、前記操作部材が前記第２の方向にスライド操作された場合よりも、前記押し子部材（３１）の前記軸部（３１ｄ）が前記スイッチ（２１ｃ）を押し込むために必要な前記操作部材（１４）のスライド操作量が大きくなるように、形成されていることを特徴とする請求項１乃至請求項１１の何れか一項に記載の電子機器（１）。
【発明の詳細な説明】
【技術分野】
【０００１】
本発明は、電子機器に関する。
【背景技術】
【０００２】
カメラを横位置にホールドした場合に人差し指が届きやすい箇所に横位置レリーズボタンを設け、カメラを縦位置にホールドした場合にも人差し指が届きやすい箇所に縦位置レリーズボタンを設けることが知られている（特許文献１参照）。
【先行技術文献】
【特許文献】
【０００３】
【特許文献１】特開２００４−３４３２８３号公報
【発明の概要】
【発明が解決しようとする課題】
【０００４】
しかしながら、特許文献１では、横位置レリーズボタンもしくは縦位置レリーズボタンが下向きになるような姿勢では、手首をひねった状態でカメラをホールドなければならず、非常に撮影しにくくなる。
【０００５】
このような課題を鑑みて、本発明の目的は、使用者が電子機器をどのような向きでホールドしても、操作部材を無理なく操作することができ、さらに操作した方向を検知することができる電子機器を提供することにある。
【課題を解決するための手段】
【０００６】
上記の目的を達成するために、本発明の電子機器は、
ベース部材と、
前記ベース部材に対して第１の方向および前記第１の方向と直交する第２の方向にスライド操作することのできる操作部材と、
前記操作部材と前記ベース部材との間に配置され、前記操作部材を前記操作部材の操作可能範囲における中立位置に付勢する導電性を有する付勢部材と、
前記付勢部材の付勢方向を規定する軸部材と、
前記軸部材を保持し、導電性を有する第１の軸受部材と第２の軸受部材と、を備え、
前記軸部材は軸方向において導電部と非導電部とを有しており、前記導電部は第１の軸受部材に保持され、前記非導電部は第２の軸受部材に保持されており、
前記付勢部材は前記導電部と電気的に接続しており、
前記操作部材が操作可能範囲における中立位置に位置する時、
前記付勢部材の一端が前記第１の軸受部材に接し、前記付勢部材の他端が前記第２の軸受部材に接し、前記第１の軸受部材と前記第２の軸受部材とは前記付勢部材を介して電気的に接続されており、
前記操作部材を第１の方向に移動させると、前記付勢部材の一端が前記第１の軸受部材から離れ、前記付勢部材の他端が前記第２の軸受部材に接し、前記第１の軸受部材と前記第２の軸受部材は前記付勢部材と前記軸部材の導電部を介して電気的に接続されており、
前記操作部材を前記第１の方向とは逆向きの方向に移動させると、前記付勢部材の一端が前記第１の軸受部材に接し、前記付勢部材の他端が前記第２の軸受部材から離れ、前記第１の軸受部材と前記第２の軸受部材は電気的に非導通となることを特徴とする。
【発明の効果】
【０００７】
本発明によれば、使用者が電子機器をどのような向きでホールドしても、操作部材を無理なく操作することができ、さらに操作した方向を安価かつ省スペースで検知することができる電子機器の提供を実現できる。
【図面の簡単な説明】
【０００８】
【図１】本発明の第１の実施形態であるデジタルカメラの外観斜視図
【図２】本発明の第１の実施形態であるデジタルカメラのフロントカバーユニットの分解斜視図
【図３】バネユニットの組み立て説明図
【図４】レリーズリングがＸ１、あるいはＸ２方向にスライド操作された場合のバネユニットの動きを説明する説明図
【図５】フロントカバーユニットの分解斜視図
【図６】カム部材、押し子部材、付勢バネ、ガイド部材、フロントフレキシブル配線板の形状を説明する分解斜視図
【図７】押し子部材の動きを説明する説明図
【発明を実施するための形態】
【０００９】
以下に、本発明の好ましい実施の形態を、添付の図面に基づいて詳細に説明する。
【実施例１】
【００１０】
図１は本発明の電子機器の一例であるデジタルカメラの外観斜視図である。図１（ａ）はデジタルカメラを正面側（被写体側）から見た外観斜視図である。図１（ｂ）はフロントカバーユニット１８をカメラ本体１から取り外した状態である。図１（ｃ）はカメラ本体１から取り外したフロントカバーユニット１８を背面側から見た斜視図である。
【００１１】
図１（ａ）はレンズユニット３が繰り出された撮影可能状態である。デジタルカメラをスタンバイ状態にすると、レンズユニット３がカメラ本体（装置本体）１から突出しない位置まで沈胴収納される。
【００１２】
ズームリング１３は、リング形状をしており、レンズユニット３の周囲に配置されている。ズームリング１３は、カメラ本体１に対し、レンズユニット３の光軸中心にＰ方向およびＱ方向（図１（ａ）参照）に所定角度範囲で回動するように構成されている。
【００１３】
ズームリング１３をＰ方向に回動させると、レンズユニット３の焦点距離が望遠側にズームし、Ｑ方向へ回転させると、レンズユニット３の焦点距離が広角側にズームする。使用者がズームリング１３を回動操作し、その後、ズームリング１３から指を離すとバネにより、ズームリング１３は中立位置に復帰する。ズームリング１３の外径全周部には、指掛かりが良くなるように凹凸形状部が形成されている。
【００１４】
レリーズリング１４は、リング形状を有しており、レンズユニット３の周囲に配置されている。レリーズリング１４の外径は、ズームリング１３の外径よりも小さく形成され、レリーズリング１４は、ズームリング１３よりもデジタルカメラの前方に突出するように配置されている。レリーズリング１４は、カメラ本体１に対し、レンズユニット３の光軸と直交する上方向および下方向、左方向および右方向（図１（ａ）参照）に、所定範囲でスライド操作することができる。
【００１５】
レリーズリング１４を上下方向のスライド操作、すなわち下方向および上方向にスライド操作することで、レリーズ動作を実行させ、静止画撮影を実行することができる。同様に、レリーズリング１４を左右方向のスライド操作、すなわち左方向および右方向に操作することでも、レリーズ動作を実行させ、静止画撮影を実行することができる。
【００１６】
通常、デジタルカメラのレリーズスイッチは、２段スイッチで構成されている。レリーズスイッチの第１ストロークで１段目のスイッチ（ＳＷ１）がオンするとＡＦ（オートフォーカス）動作およびＡＥ（自動露出）動作を実行する。そして、レリーズスイッチの第２ストロークで２段目のスイッチ（ＳＷ２）がオンすると静止画撮影を実行する。
【００１７】
レリーズリング１４は、上下左右方向に所定範囲内でのみスライド操作することができる。また、レリーズリング１４は、上下方向のスライド操作または左右方向のスライド操作を解除すると、バネ力により、中立位置に復帰するように構成されている。
【００１８】
なお、図１（ａ）では、ズームリング１３およびレリーズリング１４が中立位置に位置している状態を示している。
【００１９】
図１（ｂ）に図示するように、カメラ本体１内のレンズユニット３の右側には、カメラに電源を供給する電池が収納される電池室１６が配置され、レンズユニット３の左側にはメインＣＰＵなどを実装したメイン回路基板１７が配置されている。メイン回路基板１７およびレンズユニット３はフレキシブル配線板により電気的に接続されている。メイン回路基板１７には、フロントカバーユニット１８に取り付けられたフロントフレキシブル配線板の接続用コネクタ１７ａが実装されている。
【００２０】
図１（ｃ）に示すように、フロントカバーユニット１８は、フロントカバー１９、フロントインナー２０、フロントフレキシブル配線板２１、ズームリング１３およびレリーズリング１４等で構成されている。
【００２１】
フロントカバー１９は、金属材料を絞り成型することで形成されている。フロントカバー１９の中央には開口部１９ａが形成されている。合成樹脂製のフロントインナー２０は、合成樹脂材料で形成されている。フロントカバー１９の開口部１９ａからフロントインナー２０の一部が露出するように、フロントインナー２０はフロントカバー１９の背面側に接着固定されている。
【００２２】
フロントインナー２０の中央には、開口部２０ｋが形成されている。フロントカバーユニット１８をカメラ本体１に取り付けると、レンズユニット３の一部がフロントインナー２０の開口部２０ｋの内側に位置する。カメラ本体１の電源をオンすると、レンズユニット３の一部がフロントインナー２０の開口部２０ｋの内側において繰り出すようになっている。フロントインナー２０は、ズームリング１３とレリーズリング１４を可動支持するベース部材として機能する。ズームリング１３は、フロントインナー２０に対して所定範囲で回動操作することができるように構成されている。レリーズリング１４は、フロントインナー２０に対して所定範囲でスライド操作することができるように構成されている。
【００２３】
フロントインナー２０には、フロントフレキシブル配線板２１が取り付けられている。フロントフレキシブル配線板２１には、レリーズ動作の実行を受け付けるスイッチおよびズーム動作の実行を受け付けるスイッチが実装されている。フロントフレキシブル配線板２１の先端には、一部パターンが露出した接点接続部２１ａが形成されている。フロントフレキシブル配線板２１の接点接続部２１ａがメイン回路基板１７のコネクタ１７ａに接続される。これによって、ズームリング１３およびレリーズリング１４の操作によって各スイッチから出力される信号は、メイン回路基板１７に実装されるメインＣＰＵに伝えられる。
【００２４】
次に、ズームリング１３およびレリーズリング１４の構成を詳細に説明する。図２はデジタルカメラのフロントカバーユニット１８の分解斜視図である。図２（ａ）は背面側から見たフロントカバーユニットの分解斜視図である。図２（ｂ）は背面側から見たレリーズベースの斜視図である。
【００２５】
図２（ａ）に示すように、フロントインナー２０の正面側には、フロントカバー１９が接着固定されている。フロントカバー１９の開口部１９ａから露出しているフロントインナー２０の正面側に、バネユニット５０ａ、５０ｂが取り付けられている。バネユニット５０ａ、５０ｂは、フロントインナー２０の開口部２０ｋの左右に１本ずつ取り付けられている。さらにバネユニット５０ａ、５０ｂは、第１リングフレキシブル配線板６０に電気的に接続されている。
【００２６】
フロントカバー１９の開口部１９ａから露出しているフロントインナー２０の正面側には、不図示のバネ収納用凹部２０ａ、２０ｂが形成されている。バネ収納用凹部２０ａ、２０ｂには、バネユニット５０ａ、５０ｂがそれぞれ取り付けられる。
【００２７】
レリーズリング１４は、意匠性、強度の都合から、合成樹脂材料からなるレリーズベース２２と金属材料からなるレリーズキャップ２３とを貼り合わせて構成される。レリーズベース２２およびレリーズキャップ２３はともにリング形状を有している。
【００２８】
フロントカバー１９の開口部１９ａから露出しているフロントインナー２０の正面側に、ズームリング１３が配置される。ズームリング１３の背面側には摺動シート２５が貼られている。フロントカバー１９の開口部１９ａから露出しているフロントインナー２０の正面側であって、ズームリング１３の内側には、Ｙ方向移動リング１５がＹ方向にのみ移動することができるように取り付けられている。Ｙ方向移動リング１５の正面側にはバネユニット５０ｃ、５０ｄが取り付けられている。さらにバネユニット５０ｃ、５０ｄは第２リングフレキシブル配線板６１に実装されている。
【００２９】
図２（ｂ）に示すように、レリーズベース２２の背面側には、係合部２２ｉ、２２ｊ、２２ｋ、２２ｌが突出形成されている。レリーズベース２２を図２（ａ）に示したＹ方向移動リング１５に取り付けると、バネ収納用凹部１５ａにそれぞれ取り付けられたバネユニット５０ｃの軸受部材５３ａ、５３ｂと、係合部２２ｉ、２２ｊとが、それぞれ係合する。さらにバネ収納用凹部１５ｂに取り付けられたバネユニット５０ｄの軸受部材５３ａ、５３ｂと、係合部２２ｋ、２２ｌとが、それぞれ係合する。
【００３０】
図３はバネユニット５０ａ〜５０ｄの組み立て説明図である。図３（ａ）はバネユニット５０ａ〜５０ｄの分解斜視図である。図３（ｂ）はバネユニット５０ａ〜５０ｄのＣ−Ｃ断面図である。
【００３１】
図３（ａ）において、バネユニット５０ａ〜５０ｄは、金属シャフト５１、コイルバネ５２、軸受部材５３ａ、５３ｂで構成されている。金属シャフト５１は導電性を有する導電部５１ａと導電性を有しない非導電部５１ｂが中間部を境に一体に形成されている。このとき導電部５１ａの外径は非導電部５１ｂの外径よりも大きく形成されている。
【００３２】
バネユニット５０ａ〜５０ｄは、金属シャフト５１にコイルバネ５２を装着し、コイルバネ５２の両端に軸受部材５３ａ、５３ｂが配置されるように、軸受部材５３ａを導電部５１ａに取り付け、軸受部材５３ｂを非導電部５１ｂに取り付ける。コイルバネ５２の上側巻き端部５２ａおよび下側巻き端部５２ｂの内径はコイルバネ５２の中央部分の内径より大きい。
【００３３】
軸受部材５３ａ、５３ｂは、金属材料で形成され、コイルバネ５２の上側巻き端部５２ａおよび下側巻き端部５２ｂに接触するように、金属シャフト５１に取り付けられる。軸受部材５３ａ、５３ｂを金属シャフト５１に取り付けると、金属シャフト５１の両端は軸受部材５３ａ、５３ｂを貫通して軸受部材５３ａ、５３ｂから突出する。コイルバネ５２の中央部分は、金属シャフト５１にガイドされる部分となり、金属シャフト５１の導電部５１ａの外径とコイルバネ５２の中央部分の内径は略同じに形成されている。その結果、コイルバネ５２の内径は金属シャフト５１の導電部５１ａと電気的な接続状態となる。
【００３４】
一方、図３（ｂ）に示すように、非導電部５１ｂの外径はコイルバネ５２の内径よりも小さく形成されている。そのため、コイルバネ５２の内径は金属シャフト５１の非導電部５１ｂと電気的に非導通である。バネユニット５０ａ、５０ｂのうち、金属シャフト５１の両端に取り付けられた軸受部材５３ａ、５３ｂが図２（ａ）に示したバネ収納用凹部２０ａまたは２０ｂにそれぞれ係合する。このとき、コイルバネ５２が圧縮された状態で、バネユニット５０ａ、５０ｂはバネ収納用凹部２０ａまたは２０ｂに取り付けられる。
【００３５】
さらにバネユニット５０ａ、５０ｂのそれぞれの軸受部材５３ａ、５３ｂは図２（ａ）に示した第１リングフレキシブル配線板６０に電気的に接続されている。第１リングフレキシブル配線板６０において、バネユニット５０ａ、５０ｂのそれぞれの軸受部材５３ａ、５３ｂには信号線が接続し、第１リングフレキシブル配線板６０からフロントフレキシブル配線板２１を経由し、メイン回路基板１７に実装されるメインＣＰＵに伝えられる。
【００３６】
図４はレリーズリング１４がＸ１、あるいはＸ２方向にスライド操作された場合のバネユニット５０ｄの動きを説明する図である。
【００３７】
図４（ａ）はフロントカバーユニット１８を正面から見た図である。Ｘ１方向、Ｘ２方向は、図４（ａ）の矢印で定義する。
【００３８】
図４（ｂ）はレリーズリング１４が中立位置の状態にあるときのフロントカバーユニット１８の要部Ｂ−Ｂ断面図とバネユニット５０ｄをスイッチに見立てた時の回路図である。このとき、コイルバネ５２は圧縮された状態で、コイルバネ５２の左端部５２ａで軸受部材５３ａと電気的に接続し、コイルバネ５２の右端部５２ｂで軸受部材５３ｂと電気的に接続する。さらに、金属シャフト５１の導電部５１ａの外径とコイルバネ５２の内径とは電気的に接続されている。このとき係合部２２ｋはコイルバネ５２の左端部５２ａと接触し、係合部２２ｌはコイルバネ５２の右端部５２ｂに接触する。これにより、軸受部材５３ａと軸受部材５３ｂとは、金属シャフト５１の導電部５１ａとコイルバネ５２を介して電気的に接続される。その結果、軸受部材５３ａと軸受部材５３ｂは回路図に示すように同電位となる。
【００３９】
図４（ｃ）はレリーズリング１４が中立位置からＸ１方向にスライド操作された状態にあるときのフロントカバーユニット１８の要部Ｂ−Ｂ断面図とバネユニット５０ｄをスイッチに見立てた時の回路図である。このとき、コイルバネ５２は軸受部材５３ａとレリーズベース２２の係合部２２ｌとに圧縮された状態で、コイルバネ５２の左端部５２ａで軸受部材５３ａと電気的に接続し、コイルバネ５２の右端部５２ｂでレリーズベース２２に接触する。また、金属シャフト５１の導電部５１ａの外径とコイルバネ５２の内径とは電気的に接続されている。コイルバネ５２がレリーズベース２２の係合部２２ｌに圧縮さることにより、コイルバネ５２の右端部５２ｂが軸受部材５３ｂから離れる。その結果、回路図に示すように軸受部材５３ａとコイルバネ５２は電気的に接続されているが、軸受部材５３ａと軸受部材５３ｂとは、電気的に接続されない。
【００４０】
図４（ｄ）はレリーズリング１４が中立位置からＸ２方向にスライド操作された状態にあるときのフロントカバーユニット１８の要部Ｂ−Ｂ断面図とバネユニット５０ｄをスイッチに見立てた時の回路図である。このとき、コイルバネ５２はレリーズベース２２の係合部２２ｋと軸受部材５３ｂとに圧縮された状態で、コイルバネ５２の左端部５２ａでレリーズベース２２と接触し、コイルバネ５２の右端部５２ｂで軸受部材５３ｂと電気的に接続する。また、金属シャフト５１の導電部５１ａの外径とコイルバネ５２の内径とは電気的に接続されている。また、軸受部材５３ａと金属シャフト５１の導電部５１ａとは電気的に接続されている。その結果、回路図に示すように軸受部材５３ａと軸受部材５３ｂとは金属シャフト５１の導電部５１ａとコイルバネ５２を介して同電位となる。
【００４１】
図４（ａ）から図４（ｄ）に示すように、バネユニット５０ｄの軸受部材５３ａ、５３ｂは第２リングフレキシブル配線板６１に実装されており、さらに軸受部材５３ａ、５３ｂには信号線が接続している。この信号線は第２リングフレキシブル配線板６１からフロントフレキシブル配線板２１を経由し、メイン回路基板１７に実装されるメインＣＰＵに伝えられる。メインＣＰＵにおいて軸受部材５３ａの信号線と軸受部材５３ｂの信号線とのＯＮ／ＯＦＦを検知することにより、レリーズリング１４がＸ１方向にスライド操作されたことを検知することができる。
【００４２】
図５はフロントインナー２０のバネ収納用凹部２０ａ、２０ｂにバネユニット５０ａ、５０ｂを取り付けた状態を示す分解斜視図である。図５（ａ）はフロントカバーユニット１８を正面から見た図である。Ｘ１方向、Ｘ２方向、Ｙ１方向、Ｙ２方向は、図５（ａ）の矢印で定義する。
【００４３】
図５（ｂ）において、ズームリング１３の内側には、Ｙ方向移動リング１５がＹ方向にのみ移動することができるように取り付けられている。Ｙ方向移動リング１５は、バネユニット５０ａ、５０ｂによってＹ方向において中立位置に付勢されている。なお、Ｙ方向移動リング１５をフロントインナー２０に取り付けた状態では、バネユニット５０ａ、５０ｂは、Ｙ方向移動リング１５の投影面内に配置されている。
【００４４】
バネ収納用凹部２０ａ、２０ｂにそれぞれ取り付けられたバネユニット５０ａ、５０ｂは、Ｙ方向移動リング１５をＹ方向移動リング１５の移動可能範囲における中立位置に付勢する第１の付勢部材として機能する。Ｙ方向移動リング１５の正面側には、レリーズベース２２がＸ方向にのみ移動することができるように取り付けられている。レリーズベース２２は、Ｙ方向移動リング１５に対して第２の方向にのみ移動可能に取り付けられる操作部材として機能する。レリーズベース２２は、バネユニット５０ｃ、５０ｄによってＸ方向において中立位置に付勢されている。なお、レリーズベース２２をＹ方向移動リング１５に取り付けた状態では、バネユニット５０ｃ、５０ｄは、レリーズベース２２の投影面内に配置されている。Ｙ方向移動リング１５はレリーズベース２２の投影面内に配置されているので、バネユニット５０ｃ、５０ｄもまたレリーズベース２２の投影面内に配置されている。バネユニット５０ｃ、５０ｄは、レリーズベース２２をレリーズベース２２の操作可能範囲における中立位置に付勢する第２の付勢部材として機能する。
【００４５】
フロントインナー２０のバネ収納用凹部２０ａ、２０ｂにはバネユニット５０ａ、５０ｂが取り付けられている。バネユニット５０ａと５０ｂは中心軸を対称にして互いに１８０°回転した状態で取り付けられている。バネユニット５０ａと５０ｂを逆向きにＹ軸に平行に配置することにより、レリーズリング１４が中立位置からＹ１方向及びＹ２方向にスライド操作された状態を検知することができる。レリーズリング１４が中立位置からＹ１方向にスライド操作されると、バネユニット５０ａはスイッチとしてクローズ状態になり、バネユニット５０ｂはスイッチとしてオープン状態となる。レリーズリング１４が中立位置からＹ２方向にスライド操作されると、バネユニット５０ａはスイッチとしてオープン状態になり、バネユニット５０ｂはスイッチとしてクローズ状態となる。
【００４６】
さらに、レリーズベース２２のバネ収納用凹部１５ａ、１５ｂにバネユニット５０ｃ、５０ｄが取り付けられている。バネユニット５０ｃと５０ｄは中心軸を対称にして互いに１８０°回転した状態で取り付けられている。バネユニット５０ｃと５０ｄを逆向きにＸ軸に平行に配置することにより、レリーズリング１４が中立位置からＸ１方向及びＸ２方向にスライド操作された状態を検知することができる。レリーズリング１４が中立位置からＸ１方向にスライド操作されると、バネユニット５０ｃはスイッチとしてクローズ状態になり、バネユニット５０ｄはスイッチとしてオープン状態となる。レリーズリング１４が中立位置からＸ２方向にスライド操作されると、バネユニット５０ｃはスイッチとしてオープン状態になり、バネユニット５０ｄはスイッチとしてクローズ状態となる。カム部材２６はレリーズリング１４のＸＹ方向の移動をＺ方向の移動に変換する部材である。
【００４７】
図６はカム部材２６、押し子部材３１、付勢バネ３２、ガイド部材３３、フロントフレキシブル配線板２１の形状を説明する分解斜視図である。図６（ａ）は正面側からカム部材２６、押し子部材３１、付勢バネ３２、ガイド部材３３、フロントフレキシブル配線板２１を見た分解斜視図である。図６（ａ）では、フロントインナー２０を省略している。図６（ｂ）は背面側からフロントインナー２０、カム部材２６、押し子部材３１、付勢バネ３２、ガイド部材３３、フロントフレキシブル配線板２１を見た分解斜視図である。
【００４８】
図６（ａ）に示すように、押し子部材３１には、摺動部３１ａ、第１の軸部３１ｂが形成されている。第１の軸部３１ｂは、摺動部３１ａから正面側に突出形成されている。押し子部材３１の背面側には、ガイド部材３３が配置されている。さらに、ガイド部材３３の背面側には、フロントフレキシブル配線板２１に実装されるレリーズスイッチ２１ｃが配置されている。
【００４９】
図６（ｂ）に示すように、カム部材２６の背面側には、略すり鉢形状のカム部２６ａ、２６ｂが形成されている。カム部材２６の背面側には、押し子部材３１が配置されている。押し子部材３１には、凹部３１ｃ、第２の軸部３１ｄが形成されている。第２の軸部３１ｄは、摺動部３１ａから背面側に突出形成されている。凹部３１ｃは、摺動部３１ａの背面側がくり抜かれるような形で形成されている。
【００５０】
押し子部材３１をカム部材２６の背面側に配置すると、摺動部３１ａは、カム部材２６のカム部２６ａ、２６ｂと摺動する。このとき、第１の軸部３１ｂは、カム部材２６を貫通して、フロントインナー２０に形成されるガイド穴２０ｌに挿入される。
【００５１】
押し子部材３１の背面側には、ガイド部材３３が配置されている。ガイド部材３３には、ガイド穴３３ａが形成されている。押し子部材３１の凹部３１ｃに付勢バネ３２を配置して、ガイド部材３３をフロントインナー２０の背面側にビスで固定する。このとき、押し子部材３１の第２の軸部３１ｄはガイド穴３３ａに挿入される。押し子部材３１はフロントインナー２０とガイド部材３３との間に挟まれた状態で取り付けられている。これによって、押し子部材３１は、第１の軸部３１ｂおよび第２の軸部３１ｄの軸方向に沿って移動可能に取り付けられており、付勢バネ３２によって摺動部３１ａがカム部２６ａ、２６ｂに押し付けられている。
【００５２】
ガイド部材３３の背面側には、フロントフレキシブル配線板２１に実装されるレリーズスイッチ２１ｃが配置されている。付勢バネ３２に抗して押し子部材３１が背面側へ移動すると、第２の軸部３１ｄの先端がレリーズスイッチ２１ｃを押し込む。第２の軸部３１ｄの先端がレリーズスイッチ２１ｃを第１の押し込み量だけ押し込むことで、レリーズスイッチ２１ｃの１段目のスイッチがオンする。さらに、第２の軸部３１ｄの先端がレリーズスイッチ２１ｃを第２の押し込み量だけ押し込むことで、レリーズスイッチ２１ｃの２段目のスイッチがオンする。したがって、第２の軸部３１ｄは、レリーズスイッチ２１ｃを押圧することができる軸部として機能する。
【００５３】
図７はレリーズリング１４がＸ１方向にスライド操作された場合の押し子部材３１の動きを説明する図である。図７（ａ）はフロントカバーユニット１８を正面から見た図である。Ｘ１方向は、図７（ａ）の矢印で定義する。図７（ｂ）はレリーズリング１４が中立位置の状態にあるときのフロントカバーユニット１８のＢ−Ｂ断面図である。図７（ｃ）はレリーズリング１４が中立位置からＸ１方向にスライド操作された状態にあるときのフロントカバーユニット１８のＢ−Ｂ断面図である。
【００５４】
図７（ｂ）に示すように、レリーズリング１４が中立位置にあるとき、押し子部材３１は付勢バネ３２の付勢力によってカム部材２６のカム部２６ａ、２６ｂに付勢されている。このとき、第２の軸部３１ｄの先端はレリーズスイッチ２１ｃに接触しておらず、第２の軸部３１ｄの先端とレリーズスイッチ２１ｃとの間には、隙間ができている。
【００５５】
この状態から図７（ｃ）に示すように、レリーズリング１４をＸ１方向にスライド操作すると、押し子部材３１の摺動部３１ａがカム部２６ｂを摺動して、付勢バネ３２に抗して押し子部材３１が背面側へ移動する。付勢バネ３２に抗して押し子部材３１が背面側へ移動すると、第２の軸部３１ｄの先端とレリーズスイッチ２１ｃとの間の隙間が徐々に小さくなって、第２の軸部３１ｄの先端がレリーズスイッチ２１ｃに接触して、レリーズスイッチ２１ｃを押し込む。
【００５６】
以上、本発明の好ましい実施形態について説明したが、本発明はこれらの実施形態に限定されず、その要旨の範囲内で種々の変形及び変更が可能である。
【符号の説明】
【００５７】
１４  レリーズリング、１５  Ｙ方向移動リング、２０  フロントインナー、
２２  レリーズベース、２６  カム部材、２６ａ，２６ｂ  カム部、３１  押し子部材、
３２  付勢バネ
【図１】
2016142768.tif 000003
【図２】
2016142768.tif 000004
【図３】
2016142768.tif 000005
【図４】
2016142768.tif 000006
【図５】
2016142768.tif 000007
【図６】
2016142768.tif 000008
【図７】
2016142768.tif 000009